(57)【要約】【課題】  良好な振動特性が得られ、水晶ブランクの厚みに関わらず水晶ブランクを確実に支持することができ、更にコストを低減することができる水晶振動子を提供する。【解決手段】  丸型の水晶ブランク１をサポータ３０によってベース５に垂直に支持して、水晶ブランク１とサポータ３０とを接着した水晶振動子であり、２本のサポータ３０が水晶ブランク１の直径より狭い間隔で配置され、各サポータ３０が、水晶ブランク１と重なる部分において、水晶ブランク１の外周部に向かって外側方向に突出し、更に先端がＬ字状に折れ曲がって形成された突起部３２を備え、水晶ブランク１の外周部付近と突起部３２とが導電性接着剤で接合された水晶振動子としている。【選択図】        図１
2013098964.tif 000002
【特許請求の範囲】
【請求項１】
丸型の水晶ブランクが、対向する２本のサポータによってベースに垂直に支持された水晶振動子であって、
前記２本のサポータが、前記水晶ブランクの直径より狭い間隔で配置され、
前記各サポータが、前記水晶ブランクと重なる部分において、前記水晶ブランクの外周部に向かって外側に突出し、先端がＬ字状に折れ曲がって形成された突起部を備え、
前記水晶ブランクが前記各突起部に導電性接着剤によって接合されていることを特徴とする水晶振動子。
【請求項２】
突起部が、水晶ブランクの、ベースに平行な直径の両端付近の外周部に相当する位置に、前記直径の両端付近の外周部を支持可能な程度の幅で形成されていることを特徴とする請求項１記載の水晶振動子。
【請求項３】
２本のサポータにおける突起部のＬ字を形成する先端の面同士の間隔は、水晶ブランクの直径より広いことを特徴とする請求項１又は２記載の水晶振動子。
【請求項４】
サポータの幅が、ベースに近い端部に比べて、水晶ブランクと重なる部分は狭く形成されていることを特徴とする請求項１乃至３のいずれか記載の水晶振動子。
【請求項５】
丸型の水晶ブランクが、対向する２本のサポータによってベースに垂直に支持された水晶振動子であって、
前記２本のサポータが、前記水晶ブランクの直径と同程度若しくは直径より広い間隔で配置され、
前記各サポータが、リード端子を介して前記ベースに接続されるサポータ側板と、前記サポータ側板から前記水晶ブランクの内側方向に突出し、前記水晶ブランクの主面に平行に形成されたサポータ底板とを備え、前記サポータ側板から前記サポータ底板にかけてスリットが形成されており、
前記水晶ブランクと前記サポータ側板及び前記サポータ底板とが、導電性接着剤によって接合されていることを特徴とする水晶振動子。
【請求項６】
スリットが、水晶ブランクの、ベースに平行な直径の両端付近の外周部に相当する位置に形成されていることを特徴とする請求項５記載の水晶振動子。
【請求項７】
スリットが、サポータ側板で開口し、サポータ底板で閉塞していることを特徴とする請求項５又は６記載の水晶振動子。
【請求項８】
サポータ側板の幅が、ベースに近い端部に比べて、水晶ブランクと重なる部分は狭く形成され、前記狭く形成された部分にサポータ底板が設けられていることを特徴とする請求項５乃至７のいずれか記載の水晶振動子。
【発明の詳細な説明】
【技術分野】
【０００１】
本発明は、水晶振動子に係り、特に良好な振動特性が得られ、水晶ブランクの厚みに関わらず水晶ブランクを確実に支持することができ、更にコストを低減することができる水晶振動子に関する。
【背景技術】
【０００２】
［先行技術の説明］
従来、高安定水晶振動子としては、丸型のブランクを２本のサポータで接着支持するものがある。
［従来の水晶振動子：図５］
従来の水晶振動子の構成について図５を用いて説明する。図５は、従来の水晶振動子の構成を示す説明図であり、（ａ）は正面図、（ｂ）は側面図、（ｃ）は背面図である。
図５に示すように、従来の水晶振動子は、金属で形成されたベース５に垂直に突出したリード６に取り付けられたサポータ３によって、丸型（円板状）の水晶ブランク１が支持された構成となっている。
【０００３】
具体的には、水晶ブランク１は、主としてＳＣカット、ＩＴカット、ＡＴカットのブランクであり、両主面に励振電極２が形成されている。一方の主面の励振電極２は、水晶ブランク１の直径の一端に引き出されて、他方の主面の励振電極２は当該直径の他端に引き出されている。水晶ブランク１は、電極２が引き出された外周部でサポータ３によって保持され、導電性接着剤によりサポータ３に電気的及び機械的に接合されている。
【０００４】
サポータ３は、金属から成り、水晶ブランク１を保持するものである。
図５に示すように、サポータ３は、水晶ブランク１の保持位置付近で内側に湾曲し、湾曲部にはスリット４が形成されている。
そして、対向する２本のサポータ３が、スリット４において水晶ブランク１の直径の両端付近の外周部を挟み込んで保持している。つまり、従来のサポータ３は、スリット４が水晶ブランク１の両面から挟んで保持する構成となっている。
【０００５】
対向して配置された２本のサポータ３の間隔は、水晶ブランク１を保持位置付近で水晶ブランク１の直径にほぼ等しくなるよう配置され、水晶ブランク１の保持位置とは反対側の端部がリード６に固定されている。
そして、水晶ブランク１がサポータ３で保持された状態で、カバーによって覆われて封止される。
【０００６】
［水晶ブランク１の厚みとスリット幅］
ところで、水晶ブランク１の厚みは仕様によって異なり、要求される様々な周波数に応じて異なっている。例えば、厚みが０．０９ｍｍ〜０.５５ｍｍの各種の水晶ブランク１を用いた水晶振動子が製造されている。
そのため、水晶ブランク１を支持するサポータ３のスリットの幅を、使用する水晶ブランク１の厚みに応じて形成しなければならない。
【０００７】
水晶ブランク１の厚みに対してスリット幅が狭い場合には、水晶ブランク１を挿入できない。
水晶ブランク１の厚みに対してスリット幅が広すぎる場合には、水晶ブランク１の傾きによって水晶ブランク１とカバーとが接触したり、接着剤が過多となってガスが多く発生し振動の妨げになったり、経年変化により接着強度が劣化して周波数特性が変動する、といった不具合が発生する。
【０００８】
［関連技術］
尚、水晶ブランクの支持に関する技術としては、特許第３７５３６１９号公報「水晶振動子」（日本電波工業株式会社、特許文献１）、特開２００３−０３２０６９号公報「圧電振動素子の保持構造」（東洋通信機株式会社、特許文献２）、特開２００９−１８８７１８号公報「水晶振動子」（日本電波工業株式会社、特許文献３）、実開平５−８５１２２号公報「水晶発振器のサポート構造」（株式会社大真空、特許文献４）がある。
【０００９】
特許文献１には、水晶振動子において、ベースと対面して配置されたＡＴカットの水晶片を、平板状のサポータに形成されたスリットで外周部端面が露出するよう保持し、サポータの外面側から導電性接着剤を塗布し、水晶片の両端外周部とサポータとを接続することが記載されている。
【００１０】
特許文献２には、圧電振動子において、２つのサポートに合計３箇所以上の保持部を設け、保持部の基板受け片によって圧電振動子の端縁よりの一面を保持し、接着剤により接着することが記載されている。
【００１１】
特許文献３には、水晶振動子において、ベースと対面して配置された水晶片を、スリットの上端が閉塞し、水晶片に水平となる舌片を備えたサポータによって保持し、水晶片の下面と舌片及び水晶片の上面とスリットの閉塞した上端内側との間に接着剤を塗布して接着することが記載されている。
【００１２】
特許文献４には、サポートを、断面コの字形状としてブランク搭載面の長手方向先端部分において内側に折り曲げて形成し、切り込みを設け、当該切り込みにより形成されたブランク搭載面に短冊状の水晶ブランクを搭載することが記載されている。
【先行技術文献】
【特許文献】
【００１３】
【特許文献１】特許第３７５３６１９号公報
【特許文献２】特開２００３−０３２０６９号公報
【特許文献３】特開２００９−１８８７１８号公報
【特許文献４】実開平０５−０８５１２２号公報
【発明の概要】
【発明が解決しようとする課題】
【００１４】
しかしながら、従来の水晶振動子では、水晶ブランクの厚みに対してサポータのスリット幅が大きいと、水晶ブランクとカバーとが接触したり、接着剤が過多となってエージング特性が劣化するという問題点があった。
【００１５】
また、従来の水晶振動子では、サポータが、水晶ブランクの外周両端部において、表と裏の両面を挟んで支持するため、水晶ブランクを締め付けることになり、振動特性に影響を与えるおそれがあるという問題点があった。
【００１６】
更に、従来の水晶振動子では、製品の仕様に応じてスリット幅の異なる種々のサポータを備えたベースを用意しなければならず、ベースの製造や在庫管理のコストが増大するという問題点があった。
【００１７】
尚、特許文献１〜４には、水晶ブランクの外周部の内側に配置されたサポータ本体から外側に突出し、Ｌ字形状に屈曲した幅の狭い保持部を備え、当該保持部に水晶ブランクの一面の外周付近を接着して支持することは記載されていない。
【００１８】
また、特許文献１〜４には、水晶ブランクの外周付近に配置されたサポータ本体から内側に突出した保持部を備え、サポータ本体から当該保持部に亘ってＬ字型に形成されたスリットを設け、水晶ブランクの一面の外周付近を保持部に接着して支持することは記載されていない。
【００１９】
本発明は、上記実状に鑑みて為されたもので、良好な振動特性が得られ、水晶ブランクの厚みに関わらず水晶ブランクを確実に支持することができ、更にコストを低減することができる水晶振動子を提供することを目的とする。
【課題を解決するための手段】
【００２０】
上記従来例の問題点を解決するための本発明は、丸型の水晶ブランクが、対向する２本のサポータによってベースに垂直に支持された水晶振動子であって、２本のサポータが、水晶ブランクの直径より狭い間隔で配置され、各サポータが、水晶ブランクと重なる部分において、水晶ブランクの外周部に向かって外側に突出し、先端がＬ字状に折れ曲がって形成された突起部を備え、水晶ブランクが各突起部に導電性接着剤によって接合されていることを特徴としている。
【００２１】
また、本発明は、上記水晶振動子において、突起部が、水晶ブランクの、ベースに平行な直径の両端付近の外周部に相当する位置に、当該直径の両端付近の外周部を支持可能な程度の幅で形成されていることを特徴としている。
【００２２】
また、本発明は、上記水晶振動子において、２本のサポータにおける突起部のＬ字を形成する先端の面同士の間隔は、水晶ブランクの直径より広いことを特徴としている。
【００２３】
また、本発明は、上記水晶振動子において、サポータの幅が、ベースに近い端部に比べて、水晶ブランクと重なる部分は狭く形成されていることを特徴としている。
【００２４】
上記従来例の問題点を解決するための本発明は、丸型の水晶ブランクが、対向する２本のサポータによってベースに垂直に支持された水晶振動子であって、２本のサポータが、水晶ブランクの直径と同程度若しくは直径より広い間隔で配置され、各サポータが、リード端子を介してベースに接続されるサポータ側板と、サポータ側板から水晶ブランクの内側方向に突出し、水晶ブランクの主面に平行に形成されたサポータ底板とを備え、サポータ側板からサポータ底板にかけてスリットが形成されており、水晶ブランクとサポータ側板及びサポータ底板とが、導電性接着剤によって接合されていることを特徴としている。
【００２５】
また、本発明は、上記水晶振動子において、スリットが、水晶ブランクの、ベースに平行な直径の両端付近の外周部に相当する位置に形成されていることを特徴としている。
【００２６】
また、本発明は、上記水晶振動子において、スリットが、サポータ側板で開口し、サポータ底板で閉塞していることを特徴としている。
【００２７】
また、本発明は、上記水晶振動子において、サポータ側板の幅が、ベースに近い端部に比べて、水晶ブランクと重なる部分は狭く形成され、当該狭く形成された部分にサポータ底板が設けられていることを特徴としている。
【発明の効果】
【００２８】
本発明によれば、丸型の水晶ブランクが、対向する２本のサポータによってベースに垂直に支持された水晶振動子であって、２本のサポータが、水晶ブランクの直径より狭い間隔で配置され、各サポータが、水晶ブランクと重なる部分において、水晶ブランクの外周部に向かって外側に突出し、先端がＬ字状に折れ曲がって形成された突起部を備え、水晶ブランクが各突起部に導電性接着剤によって接合されている水晶振動子としているので、水晶ブランクを保持する突起部の幅を狭くして接着剤が過多になるのを防ぎ、水晶ブランクの一方の主面をほぼ開放として、振動を妨げず、良好な周波数特性を得ることができると共に、様々な厚みの水晶ブランクを支持することができ、製造コストを低減することができる効果がある。
【００２９】
また、本発明によれば、２本のサポータにおける突起部のＬ字を形成する先端の面同士の間隔が、水晶ブランクの直径より広い上記水晶振動子としているので、水晶ブランクの側面を締め付けず、一層良好な振動特性とすることができる効果がある。
【００３０】
また、本発明によれば、サポータの幅が、ベースに近い端部に比べて、水晶ブランクと重なる部分は狭く形成されている上記水晶振動子としているので、水晶ブランクを収納する空間を確保し、水晶振動子の厚みを増大させないようにすることができる効果がある。
【００３１】
また、本発明によれば、丸型の水晶ブランクが、対向する２本のサポータによってベースに垂直に支持された水晶振動子であって、２本のサポータが、水晶ブランクの直径と同程度若しくは直径より広い間隔で配置され、各サポータが、リード端子を介してベースに接続されるサポータ側板と、サポータ側板から水晶ブランクの内側方向に突出し、水晶ブランクの主面に平行に形成されたサポータ底板とを備え、サポータ側板からサポータ底板にかけてスリットが形成されており、水晶ブランクとサポータ側板及びサポータ底板とが、導電性接着剤によって接合されている水晶振動子としているので、水晶ブランクの一方の主面をほぼ開放とし、更に水晶ブランクを締め付けないため振動を妨げず、良好な周波数特性を得ることができると共に、様々な厚みの水晶ブランクを支持することができ、製造コストを低減することができる効果がある。
【図面の簡単な説明】
【００３２】
【図１】本発明の第１の実施の形態に係る水晶振動子の構成を示す説明図であり、（ａ）は正面図、（ｂ）は側面図、（ｃ）は背面図である。
【図２】第１の水晶振動子におけるサポータ３０の構成を示す模式説明図である。
【図３】本発明の第２の実施の形態に係る水晶振動子の構成を示す説明図であり、（ａ）は正面図、（ｂ）は側面図、（ｃ）は背面図である。
【図４】第２の水晶振動子におけるサポータ３３の構成を示す模式説明図である。
【図５】従来の水晶振動子の構成を示す説明図であり、（ａ）は正面図、（ｂ）は側面図、（ｃ）は背面図である。
【発明を実施するための形態】
【００３３】
本発明の実施の形態について図面を参照しながら説明する。
［実施の形態の概要］
本発明の実施の形態に係る水晶振動子は、丸型の水晶ブランクをサポータによってベースに垂直に支持して、水晶ブランクとサポータとを接着した構成であり、サポータは、水晶ブランクの外周より内側に設置され、サポータ本体から外側に突出し、更にＬ字に屈曲した幅の狭い突起部を備え、当該突起部と水晶ブランクの外周部付近が導電性接着剤によって接着された構成としており、水晶ブランクを両面から締め付けないため良好な振動が得られ、突起部の幅が狭いため導電性接着剤の量が過多になるのを防いでエージング特性を向上させ、水晶ブランクの厚みに関係なく支持可能なサポータ形状として種々の水晶ブランクに対応でき、コストを低減することができるものである。
【００３４】
また、本発明の実施の形態に係る水晶振動子は、丸型の水晶ブランクをサポータによってベースに垂直に支持して、水晶ブランクとサポータとを接着した構成であり、サポータは、水晶ブランクの外周より外側に設置され、サポータ本体から内側に突出した底板部を設け、サポータ本体から当該底板部に亘ってＬ字型のスリットが形成され、水晶ブランクが底板部に搭載されて導電性接着剤によって接着された構成としており、水晶ブランクを両面から締め付けないため良好な振動が得られ、スリットから導電性接着剤を塗布して水晶ブランクとサポータとを確実に接着すると共に、余分な接着剤がスリットから流出することにより導電性接着剤の量が過多になるのを防いでエージング特性を向上させ、水晶ブランクの厚みに関係なく支持可能なサポータ形状として種々の水晶ブランクに対応でき、コストを低減することができるものである。
【００３５】
［第１の実施の形態：図１］
本発明の第１の実施の形態に係る水晶振動子について図１を用いて説明する。図１は、本発明の第１の実施の形態に係る水晶振動子の構成を示す説明図であり、（ａ）は正面図、（ｂ）は側面図、（ｃ）は背面図である。
図１に示すように、本発明の第１の実施の形態に係る水晶振動子（第１の水晶振動子）は、従来と同様の丸型の水晶ブランク１が、金属製のベース５に垂直に突出したリード（リード端子）６に取り付けられたサポータ３０によって支持された構成である。
【００３６】
第１の水晶振動子の構成について具体的に説明する。
水晶ブランク１は、図５に示した従来の水晶振動子における水晶ブランク１と同様の構成であり、主としてＳＣカット、ＩＴカット、ＡＴカットのブランクであり、両主面に励振電極２が形成され、直径の両端方向に引き出されている。
【００３７】
サポータ３０は、第１の水晶振動子の特徴部分であり、リン青銅等の金属で形成され、水晶ブランク１の両側に対向して配置され、水晶ブランク１を保持するものである。
そして、第１の水晶振動子のサポータ３０は、リード６に接続された側面支持部３１と、側面支持部３１から水晶ブランク１の外側方向に突出して形成された突起部３２とを備えており、図１（ｂ）に示すように、側面支持部３１は、細長い板状で、リード６に近い部分では幅が広く形成され、水晶ブランク１が搭載される部分では幅が狭く形成されている。
【００３８】
これにより、水晶ブランク１を、側面支持部３１の幅広の部分よりも突出しないように収納することができるものである。
つまり、水晶ブランク１が搭載される領域の側面支持部３１を狭くして、水晶ブランク１とサポータ３０との接触面を少なくすると共に、水晶振動子の奥行き（図１（ｂ）の左右方向）を増大させないものである。
【００３９】
そして、図１（ｃ）に示すように、第１の水晶振動子においては、向かい合うサポータ３０の側面支持部３１はリード６に平行で、２本の間隔が水晶ブランク１の直径よりも短い間隔となるよう配置されている。
そして、各サポータ３０は、水晶ブランク１が搭載される領域（水晶ブランク１と重なる領域）ではベース５に垂直に形成され、下に向かって水晶ブランク１の外周に沿うようにベース５の内側寄りに傾斜し、リード６に接続する部分では再びベース５に垂直に形成されている。
【００４０】
そのため、対向するサポータ３０の間隔は、リード６に接続する部分では水晶ブランク１が搭載される領域における間隔に比べて狭くなっている。
これにより、ベース５を小型化できると共に、サポータ３０を変形しにくくするものである。
【００４１】
更に、サポータ３０は、側面支持部３１の狭い部分に、突起部３２が設けられている。突起部３２は、側面支持部３１から水晶ブランク１の外側方向に向かって突出し（図１（ｃ）参照）、先端が正面側（図１（ｂ）の向かって左側）に向かってＬ字型に折り曲げられた形状に形成されている。
そして、突起部３２は、水晶ブランク１の励振電極２が設けられた直径の両端に相当する位置に設置されている。
【００４２】
突起部３２の幅、つまり側面支持部３１に接続する垂直方向（図１（ｃ）の上下方向）の長さは、水晶ブランク１の直径両端の外周部付近を支持可能な程度に形成されている。図１の例では、突起部３２の幅は、従来のサポータ３におけるスリット４が設けられている湾曲部の垂直方向（図５（ａ）（ｃ）の上下方向）の長さよりも短く、つまり幅が狭く形成されている。
【００４３】
また、突起部３２の奥行き方向（図１（ｂ）の左右方向）の長さは、側面支持部３１の幅の広い部分と狭い部分との幅の差程度としており、様々な厚みを備えた多様な水晶ブランクに対応可能である。
尚、突起部３２の奥行き方向の長さは、搭載される水晶ブランク１の厚みが突出しない程度の長さとすることが望ましい。
また、サポータ３０の側面支持部３１と突起部３２とは一体に切り出され、側面支持部３１と突起部３２の境界部分及び突起部３２の先端部がＬ字型に折り曲げられて形成される。
【００４４】
そして、２本のサポータ３０は、対向する突起部３２の先端同士の間隔が水晶ブランク１の直径より若干広くなるよう配置されている。これにより、突起部３２のＬ字に折れ曲がった先端部の面は、水晶ブランク１に直接接することはなく、水晶ブランク１を側面から強く挟み込まないものである。
【００４５】
従って、図１（ａ）に示すように、正面から見ると、サポータ３０は、水晶ブランク１の外周より外側となる突起部３２の先端と、側面支持部３１の先端及びリード６に近い下部のみが見えるものである。
【００４６】
そして、第１の水晶振動子では、サポータ３０の突起部３２のＬ字に折り曲げられた２面の内、水晶ブランク１の主面と水平な一方の面に水晶ブランク１が搭載された状態で、当該一方の面及びそれに垂直な他方の面と、水晶ブランク１とが導電性接着剤により電気的且つ機械的に接合されているものである。
突起部３２の水晶ブランク１の主面に垂直な面は、直接水晶ブランク１には接しておらず、導電性接着剤が水晶ブランク１との間に充填されている。
【００４７】
これにより、水晶ブランク１は背面及び側面（外周部端面）でサポータ３０に接合され、正面側からはサポータに締め付けられることは無いため、良好な振動が得られるものである。
特に、第１の水晶振動子では、水晶ブランク１の側面がサポータ３０の突起部３２に直接接触しないので、一層良好な振動が得られるものである。
【００４８】
更に、突起部３２は水晶ブランク１の背面側と側面側の２面で形成されており、正面側は開放としているので、様々な厚みの水晶ブランク１に対応可能であり、複数の製品で部材を共通化することができ、コストを低減することができるものである。
【００４９】
［サポータ３０の構成と導電性接着剤の塗布：図１，図２］
次に、第１の水晶振動子のサポータ３０の構成と、水晶ブランク１を搭載した場合の導電性接着剤の塗布方法について図１及び図２を用いて説明する。図２は、第１の水晶振動子におけるサポータ３０の構成を示す模式説明図である。
図２に示すように、サポータ３０は、幅の広い部分と狭い部分とを備えた側面支持部３１と、側面支持部３１の狭い部分から突出した突起部３２とから構成されており、更に、突起部３２は、水晶ブランク１を搭載した場合に水晶ブランク１の主面に水平になる突起部底板３２ａと、突起部底板３２ａから垂直に水晶ブランク１の正面方向（図１（ａ）の手前方向）に折り曲げられた突起部側板３２ｂとを備えている。
【００５０】
上述したように、側面支持部３１の長手方向に沿った突起部３２の幅（図１では「垂直方向の長さ」としている）は、水晶ブランク１の直径両端の外周部付近を確実に保持できる程度に形成されており、例えば、側面支持部３１の広い部分の幅と狭い部分の幅との中間程度となっている。これにより、突起部３２の幅は、従来のサポータ３のスリット部４（図５（ｂ）参照）に比べて狭く（短く）なっている。
【００５１】
そして、ベース５にサポータ３０が取り付けられた状態で、正面側から、対向する２本のサポータ３０の突起部３２の間に水晶ブランク１を搭載する。図２では、水晶ブランク１が搭載された状態を点線で示している。
このとき、水晶ブランク１は、突起部３２の突起部底板３２ａと、側面支持部３１の狭い部分の２箇所の端面とに搭載されており、突起部側板３２ｂと側面支持部３１の広い部分には接触していないものである。
【００５２】
そして、導電性接着剤を塗布してサポータ３０と水晶ブランク１とを接着する。
導電性接着剤は、水晶ブランク１の下側から、水晶ブランク１の下面と突起部底板３２ａとを接合するよう塗布され、水晶ブランク１の側面から水晶ブランク１の側面と突起部側板３２ｂとの間を埋めて接合するよう充填され、更に、水晶ブランク１の上側から、水晶ブランク１の上面と突起部３２とを接合するよう塗布される。
【００５３】
すなわち、水晶ブランク１は、突起部底板３２ａに搭載されてしっかり接着されるが、突起部側板３２ｂとの間には隙間があり、この隙間を埋めるように導電性接着剤を塗布することにより、水晶ブランク１と突起部側板３２ｂとを接合する。
導電性接着剤は可塑性があり変形しやすいため、水晶ブランク１をサポータに密着して固定する場合に比べて、水晶ブランク１の自由な振動を妨げにくく、良好な振動特性が得られるものである。
【００５４】
このように、突起部３２の周囲の様々な方向から導電性接着剤を塗布することにより、水晶ブランク１と突起部３２とが接する部分を包囲するように導電性接着剤が塗布され、水晶ブランク１とサポータ３０との接着強度を十分に確保することができるものである。
また、突起部３２の幅を狭くすることにより、導電性接着剤のつけ過ぎを防ぐことができ、接着剤過多による振動特性やエージング特性の劣化を未然に防ぐことができるものである。
【００５５】
［第１の実施の形態の効果］
本発明の第１の実施の形態に係る水晶振動子によれば、丸型の水晶ブランク１をサポータ３０によってベース５に垂直に支持して、水晶ブランク１とサポータ３０とを接着した水晶振動子であり、サポータ３０が、ベース５に垂直に設置された側面支持部３１と、側面支持部３１から水晶ブランク１の外側方向に突出し、更に奥行き方向にＬ字に折り曲げられた幅の狭い突起部３２とを備え、水晶ブランク１の直径より狭い間隔で向かい合って設置された２本のサポータ３０の突起部３２の間に水晶ブランク１が搭載され、水晶ブランク１の外周部付近と突起部３２とが導電性接着剤で接合されているので、水晶ブランク１の主面が締め付けられず、また、突起部３２の幅を従来のスリットの長さより短く（狭く）して、接着剤が過多になるのを防いで良好な振動を得ることができ、更に、サポータ３０で種々の厚みの水晶ブランク１を支持可能として、複数の製品に共通の部材とすることができ、コストを低減することができる効果がある。
【００５６】
また、第１の水晶振動子によれば、対向するサポータ３０の突起部側板３２ｂ同士の間隔を、水晶ブランク１の直径より広くしており、水晶ブランク１の側面が、突起部３２の突起部側板３２ｂに直接接することはなく、導電性接着剤を充填することにより接合されているので、水晶ブランク１の側面を締め付けないようにして、振動を妨げず、良好な振動特性を実現することができる効果がある。
【００５７】
［第２の実施の形態：図３］
次に、本発明の第２の実施の形態に係る水晶振動子について図３を用いて説明する。図３は、本発明の第２の実施の形態に係る水晶振動子の構成を示す説明図であり、（ａ）は正面図、（ｂ）は側面図、（ｃ）は背面図である。
本発明の第２の実施の形態に係る水晶振動子（第２の水晶振動子）は、基本的な構成は第１の水晶振動子とほぼ同様であり、丸型の水晶ブランク１をベース５に垂直に搭載したものであるが、サポータの形状が第１の水晶振動子とは異なっている。
【００５８】
図３に示すように、第２の水晶振動子のサポータ３３は、水晶ブランク１の両側に対向して配置されており、それぞれ、ベース５に垂直且つリード６に平行となるよう、リード６に取り付けられた細長い板状のサポータ側板３５と、サポータ側板３５から水晶ブランク１の内側に突出したサポータ底板３４とから構成されている。
【００５９】
サポータ底板３４は、サポータ側板３５のリード６に接続された根元側の端部とは反対側の端部に設けられ、長さ（図３（ｃ）の上下方向の長さ）及び幅（図３（ｃ）の左右方向の長さ）は、水晶ブランク１の直径両端付近の外周部を保持可能な程度とし、図３の例では、長さは水晶ブランク１の半径より短く、幅は従来のサポータ３の湾曲部分（図５（ａ）（ｃ）参照）の幅（図５（ａ）（ｃ）の左右方向の長さ）と同程度に形成されている。
【００６０】
また、サポータ側板３５の幅（図３（ｂ）の左右方向）は、従来のサポータ３の幅（図５（ｂ）の左右方向）と同程度としており、搭載される種々の水晶ブランク１が突出しない程度の幅とすることが望ましい。
【００６１】
更に、第２の水晶振動子のサポータ３３では、サポータ側板３５からサポータ底板３４にまたがって、スリット４が形成されている。つまり、スリット３６は、サポータ側板３５からサポータ底板３４にかけてＬ字状に形成されており、サポータ側板３５側で開口し、サポータ底板３４側で閉塞しているものである。
【００６２】
スリット３６は、水晶ブランク１の励振電極２が設けられた直径の両端に相当する位置に設置されており、導電性接着剤を注入するための隙間となっている。つまり、スリット３６の周囲のサポータ側板３５及びサポータ底板３４と水晶ブランク１とが接合されるものである。
尚、サポータ３３は、スリット３６を備えたサポータ側板３５とサポータ底板３４とを一体に形成した後、サポータ底板３４部分をＬ字状に折り曲げることによって形成される。
【００６３】
第２の水晶振動子の２本のサポータ３３は、対向するサポータ側板３５の間隔が水晶ブランク１の直径と同程度若しくは直径より若干広くなるよう平行に配置されている。
これにより、水晶ブランク１を側面からしっかり押さえないようにして、振動特性の向上を図るものである。
【００６４】
そして、第２の水晶振動子では、対向するサポータ３３のサポータ底板３４に水晶ブランク１が搭載された状態で、スリット３６から注入された導電性接着剤により、水晶ブランク１とサポータ底板３４及びサポータ側板３５とが電気的且つ機械的に接合されているものである。
【００６５】
第２の水晶振動子においても、サポータ３３は、水晶ブランクの両主面を挟みこむ構成ではないため、様々な厚みの水晶ブランク１を搭載可能であり、複数の製品でサポータやベースを共通の部材としてコストを低減することができるものである。
また、水晶ブランク１の背面側はサポータ３３に密着されるが、正面側はほぼ開放状態となるため、水晶ブランク１が強く締め付けられることは無く、従来に比べて良好な振動特性が得られるものである。
【００６６】
［サポータ３３の構成と導電性接着剤の塗布：図３，図４］
次に、第２の水晶振動子のサポータ３３の構成と、水晶ブランクを搭載した場合の導電性接着剤の塗布方法について図３及び図４を用いて説明する。図４は、第２の水晶振動子におけるサポータ３３の構成を示す模式説明図である。
図４に示すように、サポータ３３は、サポータ側板３５と、サポータ底板３４とから成り、サポータ側板３５からサポータ底板３４にかけてＬ字型のスリット３６が形成されている。
【００６７】
第２の水晶振動子のサポータ３３に水晶ブランク１を搭載すると、水晶ブランク１の主面はサポータ底板３４に搭載され、スリット３６から水晶ブランク１の外周部が一部露出する。但し、２本のサポータ３３のサポータ側板３５の間隔は、水晶ブランク１の直径と同程度又は若干広くしているので、水晶ブランク１の外周部は、サポータ側板３５によって締め付けられないようになっている。
【００６８】
そして、第２の水晶振動子では、導電性接着剤は、水晶ブランク１の下側からスリット３６を介して、水晶ブランク１の下面とサポータ底板３４とを接合するよう塗布され、水晶ブランク１の側面から、水晶ブランク１の側面とサポータ底板３４及びサポータ側板３５とを接合するよう塗布され、更に、水晶ブランク１の上面から、水晶ブランク１の上面とサポータ側板３５とを接合するよう塗布される。
【００６９】
このように、スリット３６の様々な方向から導電性接着剤を塗布することにより、水晶ブランク１とサポータ側板３５及びサポータ底板３４とを確実に接着することができるものである。
また、導電性接着剤を多く塗布しすぎた場合でも、余分な導電性接着剤はスリット３６から外に流出するので、導電性接着剤のつけ過ぎを防ぐことができ、接着剤過多による振動特性やエージング特性の劣化を防ぐことができるものである。
【００７０】
［第２の実施の形態の効果］
本発明の第２の実施の形態に係る水晶振動子によれば、丸型の水晶ブランク１を対向する１組のサポータ３３によってベース５に垂直に支持して、水晶ブランク１とサポータ３３とを接着した水晶振動子であり、サポータ３３が、ベース５に垂直に設置されたサポータ側板３５と、サポータ側板３５から水晶ブランク１の内側方向に突出したサポータ底板３４とを備え、サポータ側板３５からサポータ底板３４にまたがってスリット３６が形成され、水晶ブランク１の直径程度の間隔で向かい合って設置された２本のサポータ３３のサポータ底板３４に水晶ブランク１が搭載され、スリット３６から注入された導電性接着剤によって水晶ブランク１とサポータ３３とが接合されているので、水晶ブランク１の主面が締め付けられず、また、スリット３６から余分な接着剤が流出するため接着剤が過多になるのを防ぎ、良好な振動特性が得られると共に、エージング特性を向上させることができ、更に、サポータ３３で種々の厚みの水晶ブランク１を支持可能として、複数の製品に共通の部材とすることができ、コストを低減することができる効果がある。
【００７１】
また、第２の水晶振動子によれば、２本のサポータ３３は、サポータ側板３５同士の間隔が水晶ブランク１の直径と同程度又は直径より若干広くなるよう設置されているので、水晶ブランク１の側面を締め付けないようにして、振動を妨げず、良好な振動特性を実現することができる効果がある。
【産業上の利用可能性】
【００７２】
本発明は、良好な振動特性が得られ、水晶ブランクの厚みに関わらず水晶ブランクを確実に支持することができ、更にコストを低減することができる水晶振動子に適している。
【符号の説明】
【００７３】
１...水晶ブランク、  ２...励振電極、  ３，３０，３３...サポータ、  ４，３６...スリット、  ５...ベース、  ６...リード、  ３１...側面支持部、  ３２...突起部、  ３２ａ...突起部底板、  ３２ｂ...突起部側板、  ３４...サポータ底板、  ３５...サポータ側板
【図１】
2013098964.tif 000003
【図２】
2013098964.tif 000004
【図３】
2013098964.tif 000005
【図４】
2013098964.tif 000006
【図５】
2013098964.tif 000007